【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
固体インクスティックであって、
固体インクスティックプリンタの挿入領域に所定の方向で挿入されるように構成された複数の側面を有するインクスティック本体と、
前記固体インクスティック本体の少なくとも１つの表面に、該固体インクスティック本体の所定の位置において位置決めされた照合インターロックと、
を有し、
前記照合インターロックと前記少なくとも1つの表面は、前記照合インターロックの表面を前記少なくとも1つの表面から所定の距離だけ変位させるように固体インクスティック本体において空間的に構成され、前記固体インクスティック本体が前記所定の方向で前記固体インクプリンタの挿入領域に位置決めされると、前記挿入領域内に延びる第１の変位可能部材が前記固体インクスティック本体から前記所定の距離だけ押し出されるようにし、前記固体インクスティック本体が前記所定の方向で前記挿入領域に挿入され、第１の変位可能部材が前記所定の距離だけ固体インクスティック本体から押し出されると、前記挿入領域内に延びる第２の変位可能部材が前記所定の方向で前記挿入領域に位置決めされた固体インクスティック本体に向かって前記所定の距離だけ移動できるようにする、
固体インクスティック。
【請求項２】
請求項１に記載の固体インクスティックにおいて、前記照合インターロックは、さらに、
前記固定インクスティック本体の前記少なくとも１つの表面の所定の位置に位置決めされた窪みを有し、
該窪みは、固体インクスティック本体の前記少なくとも１つの表面から前記所定の距離だけ前記固体インクスティック本体内部において変位する表面を有し、前記固体インクスティック本体が前記所定の方向で挿入領域に挿入され、前記第１の変位可能部材が前記所定の距離だけ固体インクスティック本体から遠ざかるように移動すると、前記第２の変位可能部材が固体インクスティック本体に向かって前記所定の距離だけ移動できるようにする、
固体インクスティック。
【請求項３】
請求項２に記載の固体インクスティックにおいて、前記窪みは、前記固体インクスティック本体の前記少なくとも１つの表面を窪ませている、
固体インクスティック。
【請求項４】
請求項２に記載の固体インクスティックにおいて、前記窪みは、前記固体インクスティック本体の少なくとも２つの表面を窪ませている、
固体インクスティック。
【請求項５】
請求項２に記載の固体インクスティックにおいて、前記窪みは、前記固体インクスティック本体の少なくとも３つの表面を窪ませている、
固体インクスティック。
【請求項６】
請求項１に記載の固体インクスティックにおいて、前記照合インターロックは、さらに、
前記固定インクスティック本体の前記少なくとも１つの表面の所定の位置に位置決めされた凸部を有し、
該凸部は、固体インクスティック本体の前記少なくとも１つの表面から前記所定の距離だけ変位した表面を有し、前記固体インクスティック本体が前記所定の方向で挿入領域に挿入されると、前記凸部の該表面が前記第１の変位可能部材を前記固体インクスティック本体から前記所定の距離だけ遠ざかるように押し出すことができる、
固体インクスティック。
【請求項７】
固体インクスティックのセットであって、
固体インクスティックプリンタ内の第１のフィードチャネルに沿って所定の方向に移動するように構成された複数の側面を有する第１の固体インクスティックと、
固体インクスティックプリンタ内の第２のフィードチャネルに沿って所定の方向に移動するように構成された複数の側面を有する第２の固体インクスティックと、
を含み、
第１の固体インクスティックの前記構成は第２の固体インクスティックの前記構成とは十分に異なるために、第１の固体インクスティックは第２のフィードチャネルに沿って移動することはできず、
第１の固体インクスティックは第１の固体インクスティックの少なくとも１つの表面上であって、第１の固体インクスティックの前記少なくとも１つの表面における所定の位置に照合インターロックを有し、第１の固体インクスティックの照合インターロックの表面を、第１の固体インクスティックの前記少なくとも１つの表面から所定の距離だけ変位させて、固体インクスティックプリンタの挿入領域内に延びる第１の変位可能部材を、前記挿入領域に所定の方向で位置決めされた第１の固体インクスティックから前記所定の距離だけ遠ざけるように押し出せるようにし、第１の固体インクスティックが所定の方向で前記挿入領域に挿入され、かつ第１の変位可能部材が第１の固体インクスティックから所定の距離だけ遠ざかるように押し出されると、挿入領域内に延びる第２の変位可能部材を、前記挿入領域に所定の方向で位置決めされた第１の固体インクスティックに向かって前記所定の距離だけ移動させることができるように、第１の固定インクスティックの照合インターロックと前記少なくとも１つの表面とが空間的に構成され、
第２の固体インクスティックは第２の固体インクスティックの少なくとも１つの表面上であって、第２の固体インクスティックの前記少なくとも１つの表面における所定の位置に照合インターロックを有し、第２の固体インクスティックの照合インターロックの表面を、第２の固体インクスティックの前記少なくとも１つの表面から所定の距離だけ変位させて、前記挿入領域内に延びる前記第１の変位可能部材を、挿入領域に所定の方向で位置決めされた第２の固体インクスティックから前記所定の距離だけ遠ざけるように押し出せるようにし、第２の固体インクスティックが所定の方向で前記挿入領域に挿入され、かつ第１の変位可能部材が第２の固体インクスティックから所定の距離だけ遠ざかるように押し出されると、挿入領域内に延びる第２の変位可能部材を、前記挿入領域に所定の方向で位置決めされた第２の固体インクスティックに向かって前記所定の距離だけ移動させることができるように、第２の固定インクスティックの照合インターロックと前記少なくとも１つの表面とが空間的に構成されている、
固体インクスティックのセット。
【請求項８】
請求項７に記載の固体インクスティックのセットにおいて、
前記第１の固体インクスティックの照合インターロックは、さらに、
前記第１の固定インクスティックの前記少なくとも１つの表面の所定の位置に位置決めされた窪みを有し、
該窪みは、第１の固体インクスティックの前記少なくとも１つの表面から前記所定の距離だけ変位する表面を有し、前記第１の固体インクスティックが所定の方向で挿入領域に挿入され、前記第１の変位可能部材が挿入領域に位置決めされた第１の固体インクスティックから前記所定の距離だけ遠ざかるように移動すると、前記第２の変位可能部材を挿入領域に位置決めされた第１の固体インクスティックに向かって前記所定の距離だけ移動できるようにし、
前記第２の固体インクスティックの照合インターロックは、さらに、
前記第２の固定インクスティックの前記少なくとも１つの表面の所定の位置に位置決めされた窪みを有し、
該窪みは、第２の固体インクスティックの前記少なくとも１つの表面から前記所定の距離だけ変位する表面を有し、前記第２の固体インクスティックが所定の方向で挿入領域に挿入され、前記第１の変位可能部材が挿入領域に位置決めされた第２の固体インクスティックから前記所定の距離だけ遠ざかるように移動すると、前記第２の変位可能部材を挿入領域に位置決めされた第２の固体インクスティックに向かって前記所定の距離だけ移動できるようにする、
固体インクスティックのセット。